(57)【要約】【課題】エスカッションと基板との２つの部品に対する位置精度で組立を可能とし、きしみ音が発生しないシーソー釦装置を提供すること。【解決手段】本発明のシーソー釦装置は、複数のスイッチ１１を有する基板１０と、基板１０を覆うエスカッション２０と、エスカッション２０に形成されるスイッチ操作部３０と、スイッチ操作部３０に配置されるシーソー釦４０とを備え、スイッチ操作部３０が、シーソー釦４０を一方の面で受けるシーソー本体部３１と、シーソー本体部３１をエスカッション２０に連接する可変部３２とからなり、シーソー本体部３１の他方の面に、スイッチ１１を押圧する押しリブ３７を形成したことを特徴とする。【選択図】        図１
2013191387.tif 000002
【特許請求の範囲】
【請求項１】
複数のスイッチを有する基板と、前記基板を覆うエスカッションと、前記エスカッションに形成されるスイッチ操作部と、前記スイッチ操作部に配置されるシーソー釦とを備えたシーソー釦装置であって、前記スイッチ操作部が、前記シーソー釦を一方の面で受けるシーソー本体部と、前記シーソー本体部を前記エスカッションに連接する可変部とからなり、前記シーソー本体部の他方の面に、前記スイッチを押圧する押しリブを形成したことを特徴とするシーソー釦装置。
【請求項２】
前記シーソー釦が、表面が押圧操作される押圧部と、前記押圧部の裏面周囲に形成される外周リブと、前記押圧部の前記裏面に形成される嵌合爪と、前記外周リブの一部に形成される凹部とを有し、
前記シーソー本体部の外周には、前記外周リブを配置する外周空間が形成され、前記シーソー本体部には、前記嵌合爪を嵌合する内周空間が形成され、
一対の前記凹部を一対の前記可変部に位置させて前記シーソー釦を前記スイッチ操作部に配設することを特徴とする請求項１に記載のシーソー釦装置。
【請求項３】
前記押圧部の前記裏面には位置決めピンを形成し、前記シーソー本体部には前記位置決めピンが挿入される開口を形成することを特徴とする請求項２に記載のシーソー釦装置。
【請求項４】
２つの前記位置決めピンと２つの前記開口とを設け、一方の前記開口を他方の前記開口よりも大きくしたことを特徴とする請求項３に記載のシーソー釦装置。
【請求項５】
２つの前記位置決めピンの間の寸法を、一対の前記嵌合爪の間の寸法より大きくし、２つの前記位置決めピンを結ぶ仮想線を、一対の前記嵌合爪を結ぶ仮想線と交差させたことを特徴とする請求項４に記載のシーソー釦装置。
【請求項６】
前記スイッチ操作部を前記エスカッションと一体成型したことを特徴とする請求項１から請求項５に記載のシーソー釦装置。
【発明の詳細な説明】
【技術分野】
【０００１】
本発明は、例えばオーディオ機器のスイッチに用いられるシーソー釦装置に関する。
【背景技術】
【０００２】
部品点数を減少させ、釦を筐体（エスカッション）に差し込むだけで釦の取り付けを可能としたシーソー釦装置が提案されている（特許文献１）。
特許文献１における釦には、シーソー動作の支柱とスナップフィットを兼ねる突起部を設けている。この突起部には、シーソー動作の支点となる凸状の円弧部を設けている。また、筐体には弾性を有する抱持突起部を設けると共に釦の突起部を挿通させる挿通孔を設けている。この構成によって、釦の突起部を筐体の挿通孔に差し込むだけで筐体に釦を取り付けることができる。
また、特許文献２では、エスカッションには突起部が形成されたヒンジ部を設け、押釦の背面には押釦固定用爪を設け、押釦固定用爪を突起部に係合させる押釦取付構造が提案されている。
【先行技術文献】
【特許文献】
【０００３】
【特許文献１】特開平７−２１１１９５号公報
【特許文献２】実願昭６１−７７７９号（実開昭６２−１２０２３３号）の願書に最初に添付した明細書及び図面の内容を撮影したマイクロフィルム（昭和６２年７月３０日特許庁発行）
【発明の概要】
【発明が解決しようとする課題】
【０００４】
特許文献１及び特許文献２は、エスカッションの一方の面に基板を配置し、エスカッションの他方の面に釦を配置し、基板に設けたスイッチは、いずれも釦の裏面に設けたスイッチ押圧部で押圧するものである。
このように、釦の裏面に設けたスイッチ押圧部で、基板に設けたスイッチを押圧する場合には、エスカッションと基板と釦の３つの部品に対する位置精度が必要となってしまい、組立作業性に問題がある。
また、特許文献１のように、釦とエスカッションとを摺動させる場合には、摺動摩擦によるきしみ音が発生する可能性があり、更に同時押しを回避するための突起を一対の摺動部の間に設ける必要がある。
【０００５】
本発明は、エスカッションと基板との２つの部品に対する位置精度で組立を可能とし、きしみ音が発生しないシーソー釦装置を提供することを目的とする。
【課題を解決するための手段】
【０００６】
請求項１記載の本発明のシーソー釦装置は、複数のスイッチを有する基板と、前記基板を覆うエスカッションと、前記エスカッションに形成されるスイッチ操作部と、前記スイッチ操作部に配置されるシーソー釦とを備えたシーソー釦装置であって、前記スイッチ操作部が、前記シーソー釦を一方の面で受けるシーソー本体部と、前記シーソー本体部を前記エスカッションに連接する可変部とからなり、前記シーソー本体部の他方の面に、前記スイッチを押圧する押しリブを形成したことを特徴とする。
請求項２記載の本発明は、請求項１に記載のシーソー釦装置において、前記シーソー釦が、表面が押圧操作される押圧部と、前記押圧部の裏面周囲に形成される外周リブと、前記押圧部の前記裏面に形成される嵌合爪と、前記外周リブの一部に形成される凹部とを有し、前記シーソー本体部の外周には、前記外周リブを配置する外周空間が形成され、前記シーソー本体部には、前記嵌合爪を嵌合する内周空間が形成され、一対の前記凹部を一対の前記可変部に位置させて前記シーソー釦を前記スイッチ操作部に配設することを特徴とする。
請求項３記載の本発明は、請求項２に記載のシーソー釦装置において、前記押圧部の前記裏面には位置決めピンを形成し、前記シーソー本体部には前記位置決めピンが挿入される開口を形成することを特徴とする。
請求項４記載の本発明は、請求項３に記載のシーソー釦装置において、２つの前記位置決めピンと２つの前記開口とを設け、一方の前記開口を他方の前記開口よりも大きくしたことを特徴とする。
請求項５記載の本発明は、請求項４に記載のシーソー釦装置において、２つの前記位置決めピンの間の寸法を、一対の前記嵌合爪の間の寸法より大きくし、２つの前記位置決めピンを結ぶ仮想線を、一対の前記嵌合爪を結ぶ仮想線と交差させたことを特徴とする。
請求項６記載の本発明は、請求項１から請求項５に記載のシーソー釦装置において、前記スイッチ操作部を前記エスカッションと一体成型したことを特徴とする。
【発明の効果】
【０００７】
本発明によれば、押しリブをエスカッションに形成しているので、シーソー釦とスイッチとの位置調整を行う必要が無く組立性が向上する。
【図面の簡単な説明】
【０００８】
【図１】本発明の一実施例によるシーソー釦装置の要部断面図
【図２】同シーソー釦装置のスイッチ操作部を示す要部平面図
【図３】同シーソー釦装置のシーソー釦を示す表面からの斜視図
【図４】同シーソー釦を示す裏面からの斜視図
【図５】同シーソー釦装置の要部分解斜視図
【図６】同シーソー釦装置のスイッチ操作部の裏面を示す要部斜視図
【発明を実施するための形態】
【０００９】
本発明の第１の実施の形態によるシーソー釦装置は、スイッチ操作部が、シーソー釦を一方の面で受けるシーソー本体部と、シーソー本体部をエスカッションに連接する可変部とからなり、シーソー本体部の他方の面に、スイッチを押圧する押しリブを形成したものである。本実施の形態によれば、押しリブをエスカッションに形成しているので、シーソー釦とスイッチとの位置調整を行う必要が無く組立性が向上する。
【００１０】
本発明の第２の実施の形態は、第１の実施の形態によるシーソー釦装置において、シーソー釦が、表面が押圧操作される押圧部と、押圧部の裏面周囲に形成される外周リブと、押圧部の裏面に形成される嵌合爪と、外周リブの一部に形成される凹部とを有し、シーソー本体部の外周には、外周リブを配置する外周空間が形成され、シーソー本体部には、嵌合爪を嵌合する内周空間が形成され、一対の凹部を一対の可変部に位置させてシーソー釦をスイッチ操作部に配設するものである。本実施の形態によれば、エスカッションと基板とを組み立てた後にシーソー釦を取り付けるか、又はシーソー釦をエスカッションに取り付けた後にエスカッションに基板を取り付けることができるとともに、シーソー釦の押圧操作をシーソー本体部に確実に伝えることができる。
【００１１】
本発明の第３の実施の形態は、第２の実施の形態によるシーソー釦装置において、押圧部の裏面には位置決めピンを形成し、シーソー本体部には位置決めピンが挿入される開口を形成するものである。本実施の形態によれば、嵌合爪以外に位置決めピンを形成することで、シーソー釦のシーソー本体部への装着作業性を高めることができる。
【００１２】
本発明の第４の実施の形態は、第３の実施の形態によるシーソー釦装置において、２つの位置決めピンと２つの開口とを設け、一方の開口を他方の開口よりも大きくしたものである。本実施の形態によれば、一方の開口を大きくすることで、製品誤差にも対応でき、位置決めピンの装着作業性を高めることができる。
【００１３】
本発明の第５の実施の形態は、第４の実施の形態によるシーソー釦装置において、２つの位置決めピンの間の寸法を、一対の嵌合爪の間の寸法より大きくし、２つの位置決めピンを結ぶ仮想線を、一対の嵌合爪を結ぶ仮想線と交差させたものである。本実施の形態によれば、位置決めピントと嵌合爪とを対角線上に配置することで、装着作業性を高めることができるとともに装着後のがたつきを少なくできる。
【００１４】
本発明の第６の実施の形態は、第１から第５の実施の形態によるシーソー釦装置において、スイッチ操作部をエスカッションと一体成型したものである。本実施の形態によれば、エスカッションと基板との位置調整だけで組み立てることができるため、組立性が向上する。
【実施例】
【００１５】
以下本発明の一実施例によるシーソー釦装置について説明する。
図１は本実施例によるシーソー釦装置の要部断面図、図２は同シーソー釦装置のスイッチ操作部を示す要部平面図、図３は同シーソー釦装置のシーソー釦を示す表面からの斜視図、図４は同シーソー釦を示す裏面からの斜視図、図５は同シーソー釦装置の要部分解斜視図、図６は同シーソー釦装置のスイッチ操作部の裏面を示す要部斜視図である。
【００１６】
図１に示すように、本実施例によるシーソー釦装置は、複数のスイッチ１１を有する基板１０と、基板１０を覆うエスカッション２０と、エスカッション２０に形成されるスイッチ操作部３０と、スイッチ操作部３０に配置されるシーソー釦４０とを備えている。
図２に示すように、スイッチ操作部３０は、シーソー釦４０を一方の面で受けるシーソー本体部３１と、シーソー本体部３１をエスカッション２０に連接する可変部３２とからなる。
シーソー本体部３１の外周には外周空間３３が形成され、シーソー本体部３１には内周空間３４が形成されている。シーソー本体部３１には、位置決め用の２つの開口３５、３６を形成している。一方の開口３５は、他方の開口３６よりも大きくしている。
また、シーソー本体部３０の他方の面には、図１に示すようにスイッチ１１を押圧する押しリブ３７を形成している。
スイッチ操作部３０は、エスカッション２０と一体成型される。
【００１７】
図３及び図４に示すように、シーソー釦４０は、表面が押圧操作される押圧部４１と、押圧部４１の裏面周囲に形成される外周リブ４２と、押圧部４１の裏面に形成される嵌合爪４３と、押圧部４１の裏面に形成される位置決めピン４４と、外周リブ４２の一部に形成される凹部４５とを有している。
２つの位置決めピン４４の間の寸法は、一対の嵌合爪４３の間の寸法より大きくしている。また、２つの位置決めピン４４と一対の嵌合爪４３とは、２つの位置決めピン４４を結ぶ仮想線が、一対の嵌合爪４３を結ぶ仮想線と交差するように配置している。
【００１８】
次に図５を用いて、シーソー釦４０のスイッチ操作部３０への取り付けについて説明する。
２つの位置決めピン４４を、開口３５、３６に挿入する。ここで本実施例では、２つの位置決めピン４４は、同一径としている。一方の開口３５は位置決めピン４４に対して遊びを設けており、それぞれの位置決めピン４４の開口３５、３６への挿入を容易にしている。位置決めピン４４を開口３５、３６に挿入することで、シーソー釦４０とシーソー本体部３０との位置決めが行われ、更にシーソー釦４０をシーソー本体部３０に押し込むことで、嵌合爪４３を内周空間３４に嵌合させる。
外周リブ４２は外周空間３３に配置され、一対の凹部４５は一対の可変部３２に配置される。
図６は、シーソー本体部３１の他方の面を示しており、シーソー本体部３１にはスイッチ１１を押圧する押しリブ３７が形成されている。
【００１９】
以上のように構成されたシーソー釦装置によれば、押圧部４１の一側方を押圧操作すると、シーソー本体部３１の一側方に力が加わり、可変部３２で生じるたわみによって、シーソー本体部３１の一側方が基板１０側に変位する。シーソー本体部３１の変位によって、シーソー本体部３１の一側方に形成された押しリブ３７が一方のスイッチ１１を押圧する。
また、押圧部４１の中央を押圧操作すると、可変部３２でたわみが生じたとしても、シーソー本体部３１のいずれかの側方が基板１０側に変位することはない。従って、２つのスイッチ１１が同時に押圧されることはない。
【００２０】
以上のように、本実施例によれば、押しリブ３７をエスカッション２０に形成しているので、シーソー釦４０とスイッチ１１との位置調整を行う必要が無く組立性が向上する。
また本実施例では、一対の凹部４５を一対の可変部３２に位置させてシーソー釦４０をスイッチ操作部３０に配設しているので、エスカッション２０と基板１０とを組み立てた後にシーソー釦４０を取り付けるか、又はシーソー釦４０をエスカッション２０に取り付けた後にエスカッション２０に基板１０を取り付けることができるとともに、シーソー釦４０の押圧操作をシーソー本体部３１に確実に伝えることができる。
また本実施例では、嵌合爪４３以外に位置決めピン４４を形成することで、シーソー釦４０のシーソー本体部３１への装着作業性を高めることができる。
また本実施例では、一方の開口３５を他方の開口３６よりも大きくしたことで、製品誤差にも対応でき、位置決めピン４４の装着作業性を高めることができる。
また本実施例では、２つの位置決めピン４４の間の寸法を、一対の嵌合爪４３の間の寸法より大きくし、位置決めピン４４と嵌合爪４３とを対角線上に配置することで、装着作業性を高めることができるとともに装着後のがたつきを少なくできる。
また本実施例では、スイッチ操作部３０をエスカッション２０と一体成型したことで、エスカッション２０と基板１０との位置調整だけで組み立てることができるため、組立性が向上する。
【産業上の利用可能性】
【００２１】
本発明は、オーディオ機器だけでなく、各種のスイッチに適用できる。
【符号の説明】
【００２２】
１０  基板
１１  スイッチ
２０  エスカッション
３０  スイッチ操作部
３１  シーソー本体部
３２  可変部
３３  外周空間
３４  内周空間
３５  開口
３６  開口
３７  押しリブ
４０  シーソー釦
４１  押圧部
４２  外周リブ
４３  嵌合爪
４４  位置決めピン
４５  凹部
【図１】
2013191387.tif 000003
【図２】
2013191387.tif 000004
【図３】
2013191387.tif 000005
【図４】
2013191387.tif 000006
【図５】
2013191387.tif 000007
【図６】
2013191387.tif 000008